(57)【要約】【課題】紛失した端末を発見するまでの時間を短縮することが可能な携帯通信端末を提供する。【解決手段】携帯通信端末のＣＰＵが実行する処理は、携帯通信端末に予め登録されている通信端末からの電話による着信を受けるステップ（Ｓ１０）と、予め登録されている通信端末からの電話による着信を受けた場合において、当該着信に対する応答を検出しないときに、携帯通信端末の紛失を検出するステップ（Ｓ１２，Ｓ２２，Ｓ３０）と、携帯通信端末の紛失を検出するステップにおいて携帯通信端末の紛失が検出された場合に、携帯通信端末の現在位置を予め登録されている通信端末に送信するステップ（Ｓ４０）とを含む。【選択図】図６
2016029767.tif 000002
【特許請求の範囲】
【請求項１】
携帯通信端末であって、
前記携帯通信端末に登録されている通信端末からの電話による着信を受ける受信部と、
前記登録されている通信端末からの電話による着信を受けた場合において、当該着信に対する応答を検出しないときに、前記携帯通信端末が紛失していると判断するための判断部と、
前記携帯通信端末の現在位置を検出するための検出部と、
前記携帯通信端末が紛失していると前記判断部によって判断された場合に、前記検出部によって検出された前記携帯通信端末の現在位置を前記登録されている通信端末に送信するための送信部とを備える、携帯通信端末。
【請求項２】
前記判断部は、前記登録されている通信端末からの電話による着信を受信してから一定時間内に当該着信に対する応答を検出しない場合に、前記携帯通信端末が紛失していると判断する、請求項１に記載の携帯通信端末。
【請求項３】
前記判断部は、前記登録されている通信端末からの一定時間内の不在着信の回数が予め定められた回数を超えた場合に、前記携帯通信端末が紛失していると判断する、請求項１に記載の携帯通信端末。
【請求項４】
前記携帯通信端末は、カメラをさらに備え、
前記送信部は、前記携帯通信端末の紛失時に前記カメラの撮影機能を実行することにより得られた画像を前記登録されている通信端末にさらに送信する、請求項１〜３のいずれか１項に記載の携帯通信端末。
【請求項５】
携帯通信端末の制御方法であって、
前記携帯通信端末に登録されている通信端末からの電話による着信を受けるステップと、
前記登録されている通信端末からの電話による着信を受けた場合において、当該着信に対する応答を検出しないときに、前記携帯通信端末が紛失していると判断するステップと、
前記携帯通信端末の現在位置を検出するステップと、
前記携帯通信端末が紛失していると前記判断するステップで判断された場合に、前記携帯通信端末の現在位置を前記登録されている通信端末に送信するステップとを備える、制御方法。
【発明の詳細な説明】
【技術分野】
【０００１】
本開示は、携帯通信端末の制御に関し、特に、自身の紛失を検出することが可能な携帯通信端末の制御に関する。
【背景技術】
【０００２】
近年、スマートフォンなどの携帯通信端末が普及している。携帯通信端末の普及に伴い、携帯通信端末の紛失に対応するための技術が開発されている。たとえば、特許文献１は、紛失した携帯電話機の捜索を容易にすると共に、紛失した携帯電話機が第三者の手に渡る可能性を低くすることが可能な携帯電話機を開示している。
【先行技術文献】
【特許文献】
【０００３】
【特許文献１】特開２０１２−１００２３１号公報
【発明の概要】
【発明が解決しようとする課題】
【０００４】
特許文献１に開示される携帯電話機は、マナーモードに応じた呼び出し動作の継続時間が所定時間を超えた場合において、携帯電話機の現在位置が所定領域内に存在するときに、マナーモードを解除して着信音を鳴らし、携帯電話機の現在位置が所定領域内に存在しないときに、マナーモードを継続しつつ現在位置を所定送信先に送信する。つまり、ユーザが、携帯電話機を紛失した場合には、ユーザ自身が別端末を用意して、紛失した携帯電話機に電話をかけなければならない。しかしながら、ユーザは、別端末を準備できない場合には、携帯電話機を探索することができず、紛失した携帯電話機が悪意を持った第三者に先に発見されてしまう恐れがある。
【０００５】
本開示は上述のような問題点を解決するためになされたものであって、その目的は、紛失した端末を発見するまでの時間を短縮することが可能な携帯通信端末と、その制御方法とを提供することである。
【課題を解決するための手段】
【０００６】
一実施の形態に従うと、携帯通信端末は、携帯通信端末に登録されている通信端末からの電話による着信を受ける受信部と、登録されている通信端末からの電話による着信を受けた場合において、当該着信に対する応答を検出しないときに、携帯通信端末が紛失していると判断するための判断部と、携帯通信端末の現在位置を検出するための位置検出部と、携帯通信端末が紛失していると判断部によって判断された場合に、位置検出部によって検出された携帯通信端末の現在位置を登録されている通信端末に送信するための送信部とを備える。
【発明の効果】
【０００７】
ある局面において、紛失した携帯通信端末を発見するまでの時間を短縮することができる。
【０００８】
本発明の上記および他の目的、特徴、局面および利点は、添付の図面と関連して理解される本発明に関する次の詳細な説明から明らかとなるであろう。
【図面の簡単な説明】
【０００９】
【図１】第１の実施の形態に従うスマートフォンが紛失したことを登録端末に通知している様子を示す図である。
【図２】第１の実施の形態に従うスマートフォンの機能構成の一例を示すブロック図である。
【図３】電話帳のデータ構造を示す図である。
【図４】第１の実施の形態に従うスマートフォンの主要なハードウェア構成を示すブロック図である。
【図５】登録端末の主要なハードウェア構成を示すブロック図である。
【図６】第１の実施の形態に従うスマートフォンが実行する処理の一部を表わすフローチャートである。
【図７】登録端末が実行する処理の一部を表わすフローチャートである。
【発明を実施するための形態】
【００１０】
以下、図面を参照しつつ、本実施の形態について説明する。以下の説明では、同一の部品および構成要素には同一の符号を付してある。それらの名称および機能も同じである。したがって、これらについての詳細な説明は繰り返さない。
【００１１】
なお、以下では、携帯通信端末の一例であるスマートフォンの詳細について説明するが、携帯通信端末は、スマートフォンに限定されるものではない。たとえば、携帯通信端末は、タブレット端末、デジタルカメラ、電子辞書、ＰＤＡ（Personal  Digital  Assistant）、ゲーム機、携帯可能なその他の電子機器なども含み得る。
【００１２】
＜第１の実施の形態＞
［概要］
図１を参照して、第１の実施の形態に従うスマートフォン１００の概要について説明する。図１は、スマートフォン１００が紛失したことを登録端末２００に通知している様子を示す図である。
【００１３】
ユーザがスマートフォン１００を紛失した場合には、悪意を持った第三者に紛失したスマートフォン１００を先に発見されてしまう可能性があるため、所有者は、スマートフォン１００を早急に回収する必要がある。このため、スマートフォン１００が紛失状態にある場合に、スマートフォン１００は、電話帳などに予め登録されているような信頼性の高い人物に、スマートフォン１００が紛失していること示す通知（以下、「紛失通知」ともいう。）を送信する。これにより、スマートフォン１００の所有者以外の人も紛失した端末を探索することが可能になる。
【００１４】
なお、以下では、紛失した状態にあるスマートフォン１００を「紛失端末」ともいい、スマートフォン１００に予め登録されている端末を「登録端末」ともいう。また、スマートフォン１００のユーザを「所有者」ともいう。
【００１５】
より具体的な処理として、予め登録されている通信端末からの電話による着信に対して所有者が応答しない場合に、スマートフォン１００は、自身が紛失状態にあると判断する。スマートフォン１００が紛失状態にあるか否かを判断する方法の詳細については後述する。スマートフォン１００は、自身が紛失状態にあると判断した場合には、登録端末２００に紛失通知を送信する。このとき、スマートフォン１００は、紛失通知として、自身の現在位置を登録端末２００に送信する。図１に示されるように、登録端末２００が紛失通知を受信すると、登録端末２００は、紛失状態にあるスマートフォン１００の現在位置３２と、登録端末２００の現在位置３４とをモニタ２５に表示する。これにより、所有者とは異なる登録端末２００のユーザが紛失端末を探索することができ、紛失端末を早期に発見することができる。
【００１６】
［スマートフォン１００の機能構成］
図２を参照して、スマートフォン１００の機能について説明する。図２は、スマートフォン１００の機能構成の一例を示すブロック図である。図２に示されるように、スマートフォン１００のＣＰＵ１２は、受信部１１０と、判断部１２０と、検出部１３０と、送信部１４０とを含む。
【００１７】
受信部１１０は、スマートフォン１００に予め登録されている通信端末（たとえば、図１の登録端末２００）からの電話による着信を受ける。着信元がスマートフォン１００に登録されているか否かは、後述の電話帳４０を参照して判断される。受信部１１０は、登録端末からの着信を受信したことを示す情報を判断部１２０に出力する。
【００１８】
判断部１２０は、登録端末からの電話による着信を受けた場合において、当該着信に対する応答を検出しないときに、スマートフォン１００が紛失していると判断する。判断部１２０によるスマートフォン１００の紛失の判断方法の詳細については後述する。判断部１２０は、スマートフォン１００が紛失していると判断した場合に、スマートフォン１００が紛失状態にあることを送信部１４０に出力する。
【００１９】
検出部１３０は、スマートフォン１００の現在位置を検出する。スマートフォン１００の現在位置は、たとえば、後述のＧＰＳ（Global  Positioning  System）コントローラ１７を用いて検出される。検出部１３０は、検出した現在位置を送信部１４０に出力する。
【００２０】
送信部１４０は、スマートフォン１００が紛失していると判断部１２０によって判断された場合に、検出部１３０によって検出されたスマートフォン１００の現在位置を登録端末に送信する。これにより、送信部１４０は、登録端末のユーザに、紛失端末の現在位置を知らせることができる。また、送信部１４０は、スマートフォン１００の紛失時に後述のカメラ１４の撮影機能を実行することにより得られた画像を登録端末にさらに送信してもよい。この画像は、紛失端末の周辺を撮影して得られたものであるため、紛失端末を探索するための手がかりとなる。
【００２１】
［判断部１２０による紛失の判断方法］
スマートフォン１００の紛失は、様々な方法で検出され得る。たとえば、スマートフォン１００への度重なる着信に対して応答が全く無い場合には、所有者が電話に出られない状況にあると考えられる。電話に出られない状況の一つには、所有者がスマートフォン１００を紛失している場合が考えられる。このため、判断部１２０は、登録端末からの電話による着信に対する所有者操作（たとえば、応答ボタンの押下など）を検出しない場合に、スマートフォン１００が紛失していると判断する。
【００２２】
このとき、任意の通信端末からの着信に基づいてスマートフォン１００の紛失判断が実行されると、スマートフォン１００の紛失があらゆる通信端末に通知されてしまう。このため、スマートフォン１００は、自身に登録されている信頼性の高い端末（すなわち、登録端末）からの電話による着信に基づいてスマートフォン１００の紛失判断を実行する。
【００２３】
より具体的な判断方法として、判断部１２０は、登録端末からの電話による着信を受信してから一定時間（たとえば、１分）内に当該着信に対する応答を検出しない場合に、スマートフォン１００が紛失していると判断する。すなわち、判断部１２０は、登録端末からの呼び出し時間が一定時間を超えた場合に、スマートフォン１００が紛失していると判断する。
【００２４】
また、スマートフォン１００は、呼び出し時間の代わりに、着信中の呼び出し回数（所謂、コール数）に基づいて、スマートフォン１００の紛失判断を行なってもよい。この場合、判断部１２０は、登録端末からの着信中のコール数が一定回数（たとえば、１０〜２０回）を超えた場合に、スマートフォン１００が紛失していると判断する。
【００２５】
他の局面において、判断部１２０は、登録端末からの一定時間（たとえば、５分）内の不在着信の回数が一定回数（たとえば、３〜５回）を超えた場合に、スマートフォン１００が紛失していると判断してもよい。ここでいう不在着信とは、登録端末からの電話による着信に対して応答が検出されなかった着信をいう。
【００２６】
さらに他の局面において、スマートフォン１００が、動作モードとして、電話相手の伝言を録音する留守録モードを有する場合には、判断部１２０は、登録端末からの呼び出し時間と不在着信とを使い分けて、スマートフォン１００の紛失を判断してもよい。通常、録音は、他の通信端末からの電話による着信に対して一定時間応答が無い場合に開始される。着信から録音が開始されるまでの設定時間が短い場合には、録音が直ぐに開始されるため、上記のような呼び出し時間やコール数に基づいてスマートフォン１００の紛失を判断すると、紛失を判断するよりも先に録音が開始されてしまう。このため、スマートフォン１００が留守録モードである場合には、着信時間やコール数に基づいてスマートフォン１００の紛失を判断できない可能性がある。
【００２７】
これを解決するために、スマートフォン１００は、動作モードが留守録モードである場合には、不在着信の回数に基づいて紛失判断を行ない、動作モードが留守録モードでない場合には、呼び出し時間またはコール数に基づいて紛失判断を行なう。より具体的には、判断部１２０は、動作モードが留守録モードである場合には、不在着信の回数が一定回数を超えたときに、スマートフォン１００が紛失していると判断する。一方、判断部１２０は、スマートフォン１００の動作モードが留守録モードでない場合には、呼び出し時間が一定時間を超えたとき、あるいは、コール数が一定回数を超えたときに、スマートフォン１００が紛失していると判断する。
【００２８】
さらに他の局面において、判断部１２０は、登録端末から着信を受けると、登録端末に対してパスワードを要求し、登録端末のユーザによって入力されたパスワードが予め登録されているパスワードと一致した場合に、スマートフォン１００が紛失していると判断してもよい（たとえば、特開２００６−２１７０６９号公報を参照）。
【００２９】
［電話帳４０のデータ構造］
図３を参照して、後述の記憶装置１９に格納される電話帳４０について説明する。図３は、電話帳４０のデータ構造を示す図である。
【００３０】
スマートフォン１００の紛失通知があらゆる通信端末に通知されてしまうと、悪意を持った第三者に紛失通知がなされる可能性がある。このため、スマートフォン１００は、自身に登録されている信頼性の高い端末（すなわち、登録端末）にのみスマートフォン１００の紛失を通知する。スマートフォン１００の紛失を通知するか否かは、図３に示される電話帳４０を参照して判断される。
【００３１】
電話帳４０には、名前４２と、電話番号４４と、スマートフォン１００の紛失を通知するか否かを示す可否情報４６とが互いに関連付けられている。スマートフォン１００は、通信端末から電話の着信があった場合に、着信元の電話番号が電話帳４０に登録されているか否かを判断する。スマートフォン１００は、着信元の電話番号が電話帳４０に登録されている場合には、その電話番号に関連付けられている可否情報４６を参照する。可否情報４６が「○」を示す場合に、スマートフォン１００は、着信元にスマートフォン１００の紛失を通知する。可否情報４６が「×」を示す場合に、スマートフォン１００は、着信元にスマートフォン１００の紛失を通知しない。
【００３２】
可否情報４６は、所有者によって任意に設定され得る。より具体的には、スマートフォン１００は、電話帳４０に登録されている人物ごとに可否情報４６を設定することが可能な設定画面を表示する。所有者は、電話帳４０に登録されている人物ごとに紛失通知を送信するか否かを設定画面に対して入力する。スマートフォン１００は、設定画面に入力された情報を電話帳４０に保存する。これにより、スマートフォン１００は、所有者が信頼する人物のみに紛失通知を送信することが可能になる。
【００３３】
なお、電話帳４０には、可否情報４６が含まれなくともよい。この場合には、スマートフォン１００は、着信元の電話番号が電話帳４０に登録されているか否かのみを判断する。より具体的には、着信元の電話番号が電話帳４０に登録されている場合に、スマートフォン１００は、着信元にスマートフォン１００の紛失を通知する。着信元の電話番号が電話帳４０に登録されていない場合に、スマートフォン１００は、着信元にスマートフォン１００の紛失を通知しない。
【００３４】
［スマートフォン１００のハードウェア構成］
図４を参照して、第１の実施の形態に従うスマートフォン１００のハードウェア構成の一例について説明する。図４は、スマートフォン１００の主要なハードウェア構成を示すブロック図である。図４に示されるように、スマートフォン１００は、ＲＯＭ（Read  Only  Memory）１１と、ＣＰＵ（Central  Processing  Unit）１２と、ＲＡＭ（Random  Access  Memory）１３と、カメラ１４と、モニタ１５と、スピーカ１６と、ＧＰＳコントローラ１７と、ネットワークインタフェース（Ｉ／Ｆ）１８と、記憶装置１９とを含む。
【００３５】
ＲＯＭ１１は、オペレーティングシステム（ＯＳ：Operating  System）、スマートフォン１００で実行される制御プログラムなどを格納する。ＣＰＵ１２は、オペレーティングシステムやスマートフォン１００の制御プログラムなどの各種プログラムを実行することで、スマートフォン１００の動作を制御する。ＲＡＭ１３は、ワーキングメモリとして機能し、プログラムの実行に必要な各種データを一時的に格納する。
【００３６】
カメラ１４は、レンズと、ＣＭＯＳ（Complementary  Metal-Oxide  Semiconductor）などの撮像素子とを含む。カメラ１４は、スマートフォン１００が紛失状態にあるときに撮影指示を受けて被写体を撮影する。この画像は、紛失端末の周辺を撮影して得られたものであるため、紛失端末を探索するための手がかりとなる。
【００３７】
モニタ１５は、たとえば、液晶ディスプレイ、有機ＥＬ（Electro  Luminescence）ディスプレイ、またはその他の表示機器などを含む。モニタ１５は、タッチセンサ（図示しない）と組み合わされてタッチパネルとして構成されてもよい。モニタ１５は、登録端末から電話による着信に基づいて、着信画面を表示する。着信画面には、着信に応答するための応答ボタンや、着信を拒否するための拒否ボタンなどが表示される。スマートフォン１００は、応答ボタンの押下を検出した場合に、着信元との通話を開始する。また、スマートフォン１００は、拒否ボタンの押下を検出した場合に、着信元との電話接続を切断する。
【００３８】
スピーカ１６は、スマートフォン１００が紛失状態にある間に音を出力する。これにより、紛失端末は、自身の位置を周囲の人に報知することができる。ＧＰＳコントローラ１７は、アンテナ１７Ａを介して、３つ以上のＧＰＳ信号または基地局からの位置信号（測位信号）を受信し、受信した信号をＣＰＵ１２（図２の検出部１３０）に出力する。ＣＰＵ１２は、３つ以上の人工衛星がＧＰＳ信号をそれぞれ発信してから、スマートフォン１００がＧＰＳ信号をそれぞれ受信するまでの時間に基づいて現在位置を算出する。あるいは、ＣＰＵ１２は、位置信号に含まれる位置情報に基づいて、スマートフォン１００の現在位置を特定する。
【００３９】
ネットワークＩ／Ｆ１８は、アンテナ１８Ａを介して、他の通信機器との間でデータを送受信する。他の通信機器は、たとえば、スマートフォン、パソコン、サーバ装置、その他通信機能を有する電子機器などを含む。スマートフォン１００は、アンテナ１８Ａを介して、紛失端末の現在位置や、紛失時に撮影して得られた画像などを登録端末２００に送信する。スマートフォン１００は、アンテナ１８Ａを介して、本実施の形態に従う各種の処理を実現するためのプログラムをダウンロードできるように構成されてもよい。
【００４０】
記憶装置１９は、たとえば、ｅＭＭＣ（Embedded  MultiMediaCard）などの記憶媒体を含む。ｅＭＭＣは、ＮＡＮＤフラッシュメモリと、制御回路とを含む。記憶装置１９は、本実施の形態に従う各種の処理を実現するためのプログラム、電話帳４０などを格納する。電話帳４０の詳細については後述する。また、記憶装置１９は、オペレーティングシステムなどのプログラムを格納していてもよい。
【００４１】
なお、本実施の形態に従う各種の処理を実現するためのプログラムは、単体のプログラムとしてではなく、任意のプログラムの一部に組み込まれて提供されてもよい。この場合、任意のプログラムと協働して本実施の形態に従う処理が実現される。このような一部のモジュールを含まないプログラムであっても、本実施の形態に従うスマートフォン１００の趣旨を逸脱するものではない。さらに、本実施の形態に従うプログラムによって提供される機能の一部または全部は、専用のハードウェアによって実現されてもよい。さらに、サーバ装置側がすべての機能を実行する必要はなく、スマートフォン１００とサーバ装置とが協働して、本実施の形態に従う処理を実現するようにしてもよい。さらに、少なくとも１つのサーバ装置が本実施の形態に従う処理を実現する、いわゆるクラウドサービスのような形態でスマートフォン１００が構成されてもよい。
【００４２】
［登録端末２００のハードウェア構成］
図５を参照して、登録端末２００のハードウェア構成の一例について説明する。図５は、登録端末２００の主要なハードウェア構成を示すブロック図である。図５に示されるように、登録端末２００は、ＲＯＭ２１と、ＣＰＵ２２と、ＲＡＭ２３と、モニタ２５と、スピーカ２６と、ＧＰＳコントローラ２７と、ネットワークインタフェース（Ｉ／Ｆ）２８とを含む。
【００４３】
ＲＯＭ２１は、オペレーティングシステム（ＯＳ：Operating  System）、登録端末２００で実行される制御プログラムなどを格納する。ＣＰＵ２２は、オペレーティングシステムや登録端末２００の制御プログラムなどの各種プログラムを実行することで、登録端末２００の動作を制御する。ＲＡＭ２３は、ワーキングメモリとして機能し、プログラムの実行に必要な各種データを一時的に格納する。
【００４４】
モニタ２５は、たとえば、液晶ディスプレイ、有機ＥＬ（Electro  Luminescence）ディスプレイ、またはその他の表示機器などを含む。モニタ２５は、タッチセンサ（図示しない）と組み合わされてタッチパネルとして構成されてもよい。モニタ２５は、たとえば、紛失端末の現在位置を表示する（図１参照）。また、モニタ２５は、紛失端末から受信した画像を表示する。スピーカ２６は、紛失端末の現在位置や、紛失端末までの道のりなどを音声で報知する。これにより、登録者は、紛失端末を容易に発見できるようになる。
【００４５】
ＧＰＳコントローラ２７は、アンテナ２７Ａを介して、３つ以上のＧＰＳ信号または基地局からの位置信号（測位信号）を受信し、受信した信号をＣＰＵ２２に出力する。ＣＰＵ２２は、３つ以上の人工衛星がＧＰＳ信号をそれぞれ発信してから、登録端末２００がＧＰＳ信号をそれぞれ受信するまでの時間に基づいて現在位置を算出する。あるいは、ＣＰＵ２２は、位置信号に含まれる位置情報に基づいて、登録端末２００の現在位置を特定する。
【００４６】
ネットワークＩ／Ｆ２８は、アンテナ２８Ａを介して、他の通信機器との間でデータを送受信する。他の通信機器は、たとえば、スマートフォン、パソコン、サーバ装置、その他通信機能を有する電子機器などを含む。登録端末２００は、アンテナ２８Ａを介して、紛失端末の現在位置や、紛失時に撮影して得られた画像などを紛失端末から受信する。登録端末２００は、アンテナ２８Ａを介して、本実施の形態に従う各種の処理を実現するためのプログラムをダウンロードできるように構成されてもよい。
【００４７】
［スマートフォン１００の制御構造］
図６を参照して、スマートフォン１００の制御構造について説明する。図６は、スマートフォン１００が実行する処理の一部を表わすフローチャートである。図６の処理は、スマートフォン１００のＣＰＵ１２がプログラムを実行することにより実現される。他の局面において、処理の一部または全部が、登録端末２００、回路素子、その他のハードウェアによって実行されてもよい。
【００４８】
ステップＳ１０において、ＣＰＵ１２は、受信部１１０として、登録通信端末からの電話による着信を受信する。ＣＰＵ１２は、着信元が電話帳４０に登録されている信頼性の高いユーザからの着信であるか否かを判断する。ＣＰＵ１２は、着信元が電話帳４０に登録されていると判断した場合に（ステップＳ１０においてＹＥＳ）、制御をステップＳ１２に切り替える。そうでない場合には（ステップＳ１０においてＮＯ）、ＣＰＵ１２は、本実施の形態に従うスマートフォン１００処理を終了する。
【００４９】
ステップＳ１２において、ＣＰＵ１２は、判断部１２０として、スマートフォン１００が紛失状態にあるか否かを判断する。たとえば、ＣＰＵ１２は、登録端末から着信を受けると、登録端末に対してパスワードを要求し、登録端末のユーザによって入力されたパスワードが予め登録されているパスワードと一致した場合に、スマートフォン１００が紛失していると判断する（たとえば、特開２００６−２１７０６９号公報を参照）。この方法によってスマートフォン１００が紛失状態にあると判断された場合には、スマートフォン１００の動作モードを端末捜索モードとする。スマートフォン１００の動作モードが端末捜索モードである場合に（ステップＳ１２においてＹＥＳ）、ＣＰＵ１２は、制御をステップＳ４０に切り替える。そうでない場合には（ステップＳ１２においてＮＯ）、ＣＰＵ１２は、制御をステップＳ２０に切り替える。
【００５０】
ステップＳ２０において、ＣＰＵ１２は、スマートフォン１００の動作モードが、上述の留守録モードであるか否かを判断する。ＣＰＵ１２は、スマートフォン１００の動作モードが留守録モードでないと判断した場合（ステップＳ２０においてＹＥＳ）、制御をステップＳ２２に切り替える。そうでない場合には（ステップＳ２０においてＮＯ）、ＣＰＵ１２は、制御をステップＳ３０に切り替える。
【００５１】
ステップＳ２２において、ＣＰＵ１２は、判断部１２０として、登録端末２００からの着信中のコール数がｍ回（たとえば、ｍ＝１０〜２０回）を超えたか否かを判断する。ＣＰＵ１２は、登録端末２００からの着信中のコール数がｍ回を超えた場合に、スマートフォン１００が紛失状態にあると判断する。ＣＰＵ１２は、スマートフォン１００が紛失状態にあると判断した場合に（ステップＳ２２においてＹＥＳ）、制御をステップＳ４０に切り替える。そうでない場合には（ステップＳ２２においてＮＯ）、ＣＰＵ１２は、本実施の形態に従う処理を終了する。
【００５２】
ステップＳ３０において、ＣＰＵ１２は、判断部１２０として、登録端末２００からの一定時間内の不在着信の回数がｎ回（たとえば、ｎ＝３〜５回）を超えたか否かを判断する。ＣＰＵ１２は、不在着信の回数がｎ回を超えた場合に、スマートフォン１００が紛失状態にあると判断する。ＣＰＵ１２は、スマートフォン１００が紛失状態にあると判断した場合に（ステップＳ３０においてＹＥＳ）、制御をステップＳ４０に切り替える。そうでない場合には（ステップＳ３０においてＮＯ）、ＣＰＵ１２は、本実施の形態に従う処理を終了する。
【００５３】
ステップＳ４０において、ＣＰＵ１２は、送信部１４０として、スマートフォン１００の位置情報を登録端末２００に送信する。このとき、ＣＰＵ１２は、送信部１４０として、スマートフォン１００の紛失時に撮影して得られた画像を登録端末２００に送信してもよい。
【００５４】
なお、ステップＳ２２において、ＣＰＵ１２は、登録端末２００からの着信中のコール数ではなく、呼び出し時間に基づいて、スマートフォン１００が紛失している状態にあるか否かを判断してもよい。この場合、ＣＰＵ１２は、登録端末からの電話による呼び出し時間が一定時間を超えた場合に、スマートフォン１００が紛失状態にあると判断する。
【００５５】
［登録端末２００の制御構造］
図７を参照して、登録端末２００の制御構造について説明する。図７は、登録端末２００が実行する処理の一部を表わすフローチャートである。図７の処理は、登録端末２００のＣＰＵ２２がプログラムを実行することにより実現される。他の局面において、処理の一部または全部が、スマートフォン１００（紛失端末）、回路素子、その他のハードウェアによって実行されてもよい。
【００５６】
ステップＳ５０において、ＣＰＵ２２は、紛失端末からの位置情報を受信する。ステップＳ５２において、ＣＰＵ２２は、登録端末２００の位置情報をＧＰＳコントローラ２７（図５参照）から取得し、登録端末２００の位置情報と紛失端末の位置情報とを比較する。
【００５７】
ステップＳ５４において、ＣＰＵ２２は、登録端末２００から紛失端末までの距離が一定距離（たとえば、０〜１００メートル）よりも短いか否かを判断する。ＣＰＵ２２は、登録端末２００から紛失端末までの距離が一定距離よりも短いと判断した場合には、制御をステップＳ６０に切り替える。そうでない場合には（ステップＳ５４においてＮＯ）、ＣＰＵ２２は、制御をステップＳ７０に切り替える。
【００５８】
ステップＳ６０において、ＣＰＵ２２は、スマートフォン１００が紛失状態にあることを登録端末２００のユーザに知らせる。一例として、ＣＰＵ２２は、スマートフォン１００が紛失状態にあることを示す音声案内をスピーカ２６に出力させる。このとき、ＣＰＵ２２は、登録端末への電話を切断して、登録端末の着信音を止める。
【００５９】
ステップＳ６２において、ＣＰＵ２２は、紛失端末の探索を実施するか否かを判断する。たとえば、登録端末２００のタッチパネルには、探索開始ボタン「はい」と探索キャンセルボタン「いいえ」とが表示される。ＣＰＵ２２は、探索開始ボタン「はい」の押下を検出した場合に（ステップＳ６２においてＹＥＳ）、制御をステップＳ６４に切り替える。ＣＰＵ２２は、探索キャンセルボタン「いいえ」の押下を検出した場合に（ステップＳ６２においてＮＯ）、本実施の形態に従う登録端末２００の処理を終了する。このように登録端末のユーザは、紛失端末が近くにある場合に紛失端末を探索するか否かを選択することができる。
【００６０】
ステップＳ６４において、ＣＰＵ２２は、紛失端末の探索処理を実行する。たとえば、ＣＰＵ２２は、紛失端末の場所を登録端末のユーザに知らせるために、紛失端末の現在位置をマップ上に表示させる（図１参照）。また、ＣＰＵ２２は、登録端末２００のユーザが紛失端末を発見しやすいように、紛失端末のスピーカ１６に音を出力させてもよい。さらに、ＣＰＵ２２は、紛失端末から受信した紛失端末の周辺の画像を、登録端末２００のモニタ２５に表示させてもよい。
【００６１】
ステップＳ７０において、ＣＰＵ２２は、スマートフォン１００が紛失状態にあることを、登録端末２００のユーザに知らせる。一例として、ＣＰＵ２２は、スマートフォン１００が紛失状態にあることを示す音声案内をスピーカ２６に出力させる。このとき、ＣＰＵ２２は、登録端末への電話を切断して、登録端末の着信音を止める。
【００６２】
［小括］
以上のようにして、本実施の形態に従うスマートフォン１００は、自身が紛失した状態にあることを検出した場合に、自身の現在位置を登録端末に送信する。これにより、所持者以外にも紛失端末を探索できるようになるので、スマートフォン１００は、自身が発見されるまでの時間を短縮することができ、探索効率を向上させることができる。また、紛失端末の現在位置や、紛失時に撮影して得られた画像が登録端末に送信されるので、登録端末のユーザは、紛失端末を発見するまでの時間をさらに短縮することができる。
【００６３】
＜第２の実施の形態＞
第１の実施の形態に従うスマートフォン１００は、紛失時にスピーカから音を出力するように構成されていた。これに対して、第２の実施の形態に従うスマートフォン１００Ａは、登録端末から紛失端末までの距離に応じて、スピーカ１６から出力される音の大きさを変える。なお、ハードウェア構成などその他の点については第１の実施の形態に従うスマートフォン１００と同じであるので、それらの説明は繰り返さない。
【００６４】
紛失端末のスピーカ１６は、スマートフォン１００Ａが紛失状態にあるときに、登録端末から紛失端末までの距離に応じて出力する音の大きさを変える。スピーカ１６は、登録端末から紛失端末までの距離が近くなるほど出力する音を大きくし、登録端末から紛失端末までの距離が遠くなるほど、出力する音を小さくする。これにより、登録端末のユーザは、紛失端末に近付いているのか離れているのかを把握することが可能になり、紛失端末を発見するまでの時間をさらに短縮することができる。
【００６５】
＜第３の実施の形態＞
第１の実施の形態に従うスマートフォン１００は、電話帳４０に登録されている登録端末からの着信に基づいて、登録端末に紛失通知が送信されていた。これに対して、第３の実施の形態に従うスマートフォン１００Ｂは、登録端末とは別に特別に登録されている通信端末（たとえば、自宅のパソコンなど）から情報を受信したことに基づいて、登録端末に紛失通知が送信する。なお、ハードウェア構成などその他の点については第１の実施の形態に従うスマートフォン１００と同じであるので、それらの説明は繰り返さない。
【００６６】
スマートフォン１００Ｂが自宅のパソコンなど特別に登録されている通信端末からメールなどの情報を受信した場合に、判断部１２０は、スマートフォン１００Ｂが紛失していると判断する。その後、スマートフォン１００Ｂは、紛失通知を登録端末に送信する。このように、所有者は、自宅のパソコンなどから登録端末に紛失通知を送信するように紛失端末を遠隔操作できるようになる。
【００６７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６８】
１１，２１  ＲＯＭ、１３，２３  ＲＡＭ、１４  カメラ、１５，２５  モニタ、１６，２６  スピーカ、１７，２７  ＧＰＳコントローラ、１７Ａ，１８Ａ，２７Ａ，２８Ａ  アンテナ、１８，２８  ネットワークＩ／Ｆ、１９  記憶装置、３２，３４  現在位置、４０  電話帳、４２  名前、４４  電話番号、４６  可否情報、１００，１００Ａ，１００Ｂ  スマートフォン、１１０  受信部、１２０  判断部、１３０  位置検出部、１４０  送信部、２００  登録端末。
【図１】
2016029767.tif 000003
【図２】
2016029767.tif 000004
【図３】
2016029767.tif 000005
【図４】
2016029767.tif 000006
【図５】
2016029767.tif 000007
【図６】
2016029767.tif 000008
【図７】
2016029767.tif 000009